(57)【要約】【課題】速結端子のプリント基板への取り付け状態を強固にする。【解決手段】速結端子１が、対向配置された一対の導電性ハウジング６と、それぞれのハウジング６の内側に納められたクランプ用のＳ字ばね５と、ばね５をクランプ状態からリリース状態へ弾性的に変形させるリリースボタン７とを有する。ハウジング６とハウジング６との間において対向する側面部１６の内面１６ａにはＳ字ばね５がリード線１１をクランプ可能に圧接し、それぞれのハウジング６において側面部１６と対向する側面部１７の両端部分が切り開かれて接点として使用可能なろう付け用の脚部２７を形成する。【選択図】　　　図１
2004014145.tif 000002
【特許請求の範囲】
【請求項１】
対向配置された一対の導電性ハウジングそれぞれの内側にリード線クランプ用のＳ字ばねが納められ、前記ハウジングのそれぞれに対してスライド可能なリリースボタンによって前記ばねを前記リード線に対するクランプ状態からリリース状態へ弾性的に変形させることが可能な速結端子であって、
前記ハウジングは直方体を成すもので、前記ハウジングとハウジングとの間において対向する側面部どうしは、互いに離間平行するように所要の間隔をあけて連結されており、前記側面部どうしの間には前記リリースボタンがスライド可能に納まり、
前記Ｓ字ばねのそれぞれは、長尺のばね材をその長さ方向においてＳ字型に変形させることにより形成されていて、前記Ｓ字型の高さ方向を前記リリースボタンのスライド方向と一致させて前記リリースボタンを挟んで対称となるように配置され、前記Ｓ字を成して延びる自由端部の一つが前記側面部の内面に前記リード線をクランプし得るように圧接した状態で前記ハウジングのそれぞれに納められており、前記自由端部の一つは、前記側面部の内面から離間して前記リリース状態となる弾性変形が可能となるように、前記リリースボタンの一部分が前記ハウジングへ進入して押圧可能に当接しており、
前記ハウジングのそれぞれでは、前記側面部に対向しているもう一方の側面部における前記リリースボタンのスライド方向両端部分が切り開かれて前記ハウジングの外へ向かって折曲されることにより、前記リリースボタンのスライド方向で互いに離間し、前記ハウジングのそれぞれから互いに反対方向ヘ向かって延出する少なくとも４本のろう付け可能な導電性の脚部が形成されていることを特徴とする前記速結端子。
【請求項２】
前記リリースボタンには前記スライド方向へ延びるリード線挿通孔が形成され、前記ハウジングの外側から前記挿通孔を通って前記ハウジングへ進入した前記リード線が前記Ｓ字ばねの前記自由端部の一つと前記側面部の内面とでクランプ可能である請求項１記載の速結端子。
【発明の詳細な説明】
【０００１】
【発明の属する技術分野】
この発明は、速結端子に関する。
【０００２】
【従来の技術】
従来、導電性のハウジングにＳ字ばねを圧入し、ハウジングに取り付けたリリースボタンを操作してリード線をそのハウジングの内面とＳ字ばねとで取り外し可能にクランプする速結端子は周知である。このハウジングは、導電性金属板を打ち抜き、プレス加工することによって作られるのが一般的である。
【０００３】
【発明が解決しようとする課題】
かかる速結端子をプリント基板に取り付けるときには、ハウジングから延びる接点を兼ねたろう付け用の脚部を利用する。導電性金属板を打ち抜くときには、その脚部がハウジングに付随して形成されるように、打ち抜きパターンを設計する。この場合、その脚部を設けることによって、１枚の導電性金属板から製作可能なハウジングの数量が著しく少なくなることがある。また、その脚部は、ハウジングとプリント基板とを電気的に接触させるためにのみ使用するのであれば、かなり細くすることが可能であるが、ハウジングをプリント基板に固定し、その固定がリリースボタンを操作する力に耐えなければならないとなると、脚部は太くしたり、本数を増やしたりすることが必要となって、１枚の金属板から製作できるハウジングの数量がますます少なくなる。
【０００４】
この発明では、プリント基板に対して強固に固定することが可能であり、しかも１枚の導電性金属板から製作できるハウジングの数量を極力多くできるように、従来の速結端子に改良を加えることが課題である。
【０００５】
【課題を解決するための手段】
前記課題解決のために、この発明が対象とするのは、対向配置された一対の導電性ハウジングそれぞれの内側にリード線クランプ用のＳ字ばねが納められ、前記ハウジングのそれぞれに対してスライド可能に取り付けられているリリースボタンによって前記ばねを前記リード線に対するクランプ状態からリリース状態へ弾性的に変形させることが可能な速結端子である。
【０００６】
かかる速結端子において、この発明が特徴とするところは、以下のとおりである。前記ハウジングは直方体を成すもので、前記ハウジングとハウジングとの間において対向する側面部どうしは、互いに離間平行するように所要の間隔をあけて連結されている。前記側面部どうしの間には、前記リリースボタンがスライド可能に納まる。前記Ｓ字ばねのそれぞれは、長尺のばね材をその長さ方向においてＳ字型に変形させることにより形成されていて、前記Ｓ字型の高さ方向を前記リリースボタンのスライド方向と一致させて前記リリースボタンを挟んで対称となるように配置される。前記Ｓ字を成して延びる自由端部の一つが前記側面部の内面に前記リード線をクランプし得るように圧接した状態で前記ハウジングのそれぞれに納められている。前記自由端部の一つは、前記側面部の内面から離間して前記リリース状態となる弾性変形が可能となるように、前記リリースボタンの一部分が前記ハウジングへ進入して押圧可能に当接している。前記ハウジングのそれぞれでは、前記側面部に対向しているもう一方の側面部における前記リリースボタンのスライド方向両端部分が切り開かれて前記ハウジングの外へ向かって折曲されることにより、前記リリースボタンのスライド方向で互いに離間し、前記ハウジングのそれぞれから互いに反対方向ヘ向かって延出する少なくとも４本のろう付け可能な導電性の脚部が形成されている。
【０００７】
この発明の好ましい実施態様において、前記リリースボタンには前記スライド方向へ延びるリード線挿通孔が形成され、前記ハウジングの外側から前記挿通孔を通って前記ハウジングへ進入した前記リード線は、前記Ｓ字ばねの前記自由端部の一つと前記側面部の内面とでクランプ可能である。
【０００８】
【発明の実施の形態】
添付の図面を参照して、この発明に係る速結端子の詳細を説明すると、以下のとおりである。
【０００９】
図１，２は、使用状態にある速結端子１の斜視図と、速結端子１の分解斜視図であって、図１の速結端子１は、プリント基板２に仮想線で示されたはんだ４６によってろう付けされている。
【００１０】
速結端子１は、線Ｃ−Ｃに関して対称に形成されており、線Ｃ−Ｃを挟んで対向配置された一対のハウジング６と、ハウジング６と６との間にあって線Ｃ−Ｃ上に位置するリリースボタン７と、ハウジング６のそれぞれに圧入される一対のＳ字ばね５とを有する。ハウジング６は、導電性金属板を打ち抜き、折り曲げ加工することにより形成され、その板の一部からなる連結部８を介して電気的につながっている。リリースボタン７は絶縁性材料からなるもので、一対の案内孔９を有し、その案内孔９に挿入されたリード線１１をハウジング６内に導くことができる。ハウジング６内において、リード線１１は直進してＳ字ばね５とハウジング６の一部分とによってクランプされ、ハウジング６に電気的に接続される。
【００１１】
ハウジング６は線Ｃ−Ｃに沿って長く延びる実質的な直方体であって、線Ｃ−Ｃに平行し、連結部８につながる内側壁１６と、内側壁１６に平行する外側壁１７と、矢印Ｅで示されるリード線挿入方向の先端に位置する端壁１８と、プリント基板２に平行する底壁２１と、底壁２１に平行してその上方に位置する頂壁２２とを有し、内外側壁１６，１７と底壁２１と頂壁２２とによって、開口２３が形成されている。内側壁１６と外側壁１７とは端壁１８よりも長さが長く、そのうちの外側壁１７は図２において線Ｃ−Ｃに平行する方向の両端部分２４，２６が仮想線Ｐ，Ｑに沿って切り開かれ、それら部分２４，２６が矢印Ｙで示されるハウジング６の外方へ向かって底壁２１と平行になるように折曲されて、速結端子１をプリント基板２に固定するための脚部２７を形成している。脚部２７は、それぞれのハウジング６において、線Ｃ−Ｃが延びる方向ヘ離間して少なくとも一対形成され、ハウジング６と６との間では線Ｃ−Ｃに関して互いに反対方向ヘ延びている。
【００１２】
図２に示されるＳ字ばね５は、幅Ｗを有する長尺の金属板をその長さ方向においてＳ字型または逆Ｓ字型に曲げることにより形成され、Ｓの字の上方端部と下方端部とに相当する上方および下方自由端部３１，３２と、高さに相当する長さＬと、その長さに直交する方向の幅Ｍとを有する。かかるＳ字ばね５は、図２に示す矢印Ｄ方向から開口２３を通ってハウジング６に納められる。Ｓ字ばね５は、ハウジング６の内面に密着して幅Ｍの方向に弾性変形した状態にあり、自由端部の一つである上方自由端部３１が内側壁１６の内面１６ａに圧接している。
【００１３】
リリースボタン７は、線Ｃ−Ｃに沿って延びる中央案内部４１と、案内部４１の両側にあって案内部４１と平行に延びる一対の押圧用腕部４２とを有する。案内部４１の先端部には図２において上方ヘ突出するストッパー部４３が形成され、腕部４２には、線Ｃ−Ｃに平行して腕部４２を貫通する案内孔９が形成されており、先端部分にはＳ字ばね５の自由端部３１と同じように傾斜する斜面４４が形成されている。案内部４１と腕部４２との間には、内側壁１６の厚さとほぼ同じ寸法のクリアランスがあって、案内部４１をハウジング６と６との間に矢印Ｅ方向から挿入すると、腕部４２のそれぞれがハウジング６それぞれにおける内側面１６の内面１６ａに対してスライドしながらハウジング６へ進入する。進入した腕部４２は、斜面４４がＳ字ばね５の自由端部３１に矢印Ｅ方向から当接した状態にあり、その状態において案内部４１のストッパー４３が、図１に示されているように、矢印Ｅ方向における手前側の連結部８に矢印Ｅとは反対の方向から当接する。
【００１４】
かかるリリースボタン７は、これを指先で矢印Ｅ方向ヘスライドさせると、腕部４２の斜面４４がＳ字ばね５の上方自由端部３１を押して、その上方自由端部３１を内側壁１６の内面１６ａから離間させて内面１６ａの内側にクリアランスを作る。Ｓ字ばね５がこの状態、すなわちリリース状態にあるときに、矢印Ｆ方向から案内孔９に挿入されるリード線１１は、ハウジング６内を直進して互いに離間しているＳ字ばね５の上方自由端部３１と内側壁１６の内面１６ａとの間のクリアランスに進入し、さらに直進してＳ字ばね５と内面１６ａの間に入る。そこでリリースボタン７から指先をはずすと、Ｓ字ばね５の上方自由端部３１は、内側壁１６方向ヘ弾性的に復帰して、その内側壁１６と協働してリード線１１を抜脱不能に挟持するクランプ状態となる。
【００１５】
かように組立てられる速結端子１は、図１に示されているように、脚部２７を接点としてプリント基板２の所要部位、例えば配線２ａ等と電気的に接触するようにはんだ４６によってろう付けされる。
【００１６】
一般に、端子をろう付けする作業では、フラックスが接点部分に流れてその接点における電気的接触の妨げになることがあるが、この発明に係る速結端子１では、外側壁１７の近傍でろう付けする一方、外側壁１７から遠く離れた内側壁１６においてリード線１１とハウジング６とを電気的に接触させるから、そのような接点部分にまでフラックスが流れるおそれは皆無に等しい。
【００１７】
また、図示例の速結端子１では、外側壁１７の一部分を切り開くことによって脚部２７が形成されるから、その脚部２７のために１枚の導電性金属板から製作可能なハウジング６の数量が減るということはない。このような脚部２７は、外側壁１７の少なくとも両端部分２４，２６で形成されるもので、速結端子１全体では４本以上作ることが可能である。
【００１８】
脚部２７は、ハウジング６のうちで端壁１８よりも長さの長い外側壁１７の両端部分２４，２６から形成され、しかも線Ｃ−Ｃに関して互いに反対方向ヘ延びている。それゆえ、脚部２７どうしは大きく離間しており、それによってろう付け作業が容易になる場合がある。また、図１，２で明らかなように、全体として実質的な六面体を成す速結端子１は、プリント基板２と向かい合う面の四隅に位置する脚部２７でプリント基板２に固定されるから、リリースボタン７を押すときの力が広く分散して、速結端子１はプリント基板２から簡単に外れるということがない。
【００１９】
【発明の効果】
この発明に係る速結端子では、ハウジングのうちで長さの長い側壁の両端部分を切り開くことによって端子を兼ねたろう付け用の脚部を形成するから、その脚部を形成するためにハウジングを製作するための導電性金属板の面積が大きくなるということはない。リード線とハウジングとを電気的に接触させるためのリード線のクランプは、ろう付けされる脚部から遠く離れた部位で行われるから、ろう付けのときに生じるフラックスがその電気的接触の妨げになるということがない。
【図面の簡単な説明】
【図１】使用状態にある速結端子の斜視図。
【図２】速結端子の分解斜視図。
【符号の説明】
１　　　速結端子
５　　　Ｓ字ばね
６　　　ハウジング
７　　　リリースボタン
１１　　　リード線
１６　　　側面部（内側壁）
１６ａ　　　内面
１７　　　側面部（外側壁）
２４，２６　　　両端部分
２７　　　脚部
３１　　　自由端部
【図１】
2004014145.tif 000003
【図２】
2004014145.tif 000004